(57)【要約】【課題】シートクッションの左右一対のサイドフレーム間に差し渡された帯状片を牽引、緊張させてサブマリン現象を抑制する構成はシートクッションが昇降するシートリフタ付車両用シートに応用し難い。【解決手段】シートクッションのサイドフレーム１４−１、車床側支持部材２２間に支軸によって揺動可能なリンクが設けられる。帯状片１８の牽引される端１８ｂがサイドフレームに設けた方向転換部材１４−１ａを経由してサイドフレーム上のリンクの支軸（第１の支軸）を第１の中継点として延ばされ、第１の中継点から車床側支持部材上のリンクの支軸（第２の支軸）を第２の中継点としてさらに延ばされている。たとえば、サイドフレーム上のリヤリンクの支軸２０Ｒ−１が第１の中継点、車床側支持部材上のリヤリンクの支軸２０Ｒ−２が第２の中継点とされる。リヤリンクではなくフロントリンク２０Ｆを利用してもよい。【選択図】図２
2014227032.tif 000002
【特許請求の範囲】
【請求項１】
シートリフタを備えることによって車床側支持部材に対して昇降可能に配されたシートクッションを有し、
前記シートクッションは、シートパッドと、前記シートパッドを左右から支持する一対のサイドフレームとを有し、シートパッドの下面で左右のサイドフレーム間に帯状片が差し渡され、
前記帯状片は一端が前記サイドフレームの一方に固定され、他端が他方のサイドフレームに設けられた方向転換部材を経由して牽引装置に接続され、緊急時には牽引装置が前記帯状片を牽引し、サイドフレーム間で緊張させることによって前記シートパッドを下方から押し上げる車両用シートであって、
前記シートリフタは前記サイドフレームに設けられた第１の支軸と、車床側支持部材に設けられた第２の支軸とを連結するリンクの揺動によって車床側支持部材に対してシートクッションを昇降可能にし、
前記方向転換部材から延ばされた帯状片の他端は、前記第１、第２の支軸を第１、第２の中継点としてその周りで折り返されて前記牽引装置に接続されていることを特徴とする車両用シート。
【請求項２】
前記シートリフタは左右一対のフロント及びリヤのリンクを有し、
前記第１、第２の支軸はリヤの左右いずれか一方のリンクに設けられている請求項１記載の車両用シート。
【請求項３】
前記シートリフタは左右一対のフロント及びリヤのリンクを有し、
前記第１、第２の支軸はフロントの左右いずれか一方のリンクに設けられている請求項１記載の車両用シート。
【請求項４】
前記帯状片が第２の支軸から、車床側支持部材に設けられた第３の中継点を経由して折り返されている請求項２または３記載の車両用シート。
【請求項５】
緊急時においてインフレーターを作動させてシートベルトバックルを牽引するバックルプリテンショナーを更に備え、緊急時にバックルプリテンショナーによって前記帯状片の端が牽引される請求項１〜４のいずれか記載の車両用シート。
【発明の詳細な説明】
【技術分野】
【０００１】
この発明は、シートクッション、車床側支持部材間にシートリフタを備えるとともに、緊急時でのシートベルト着用の着座者の沈みながらの前方への移動、いわゆるサブマリン現象を抑制する車両用シートに関する。
【背景技術】
【０００２】
左右の肩のいずれかと左右の腰との三ヶ所で着座者を保持する三点保持式のシートベルトが車両用シートに広範囲に装着されている。三点保持式のシートベルト（三点式シートベルト）においては、上半部のウェビング（ショルダーウェビング）が着座者の肩口から袈裟状に着座者に掛け渡されるとともに、下半部のウェビング（ラップウェビング）が着座者の腰部に掛け渡されて着座者をシートに保持し固定する。
【０００３】
車両の急減速、急停車、前突などの緊急時において、シートベルトを着用した着座者を前方に移動させる慣性力が着座者に作用する。緊急時の慣性力による前方への移動は、シートベルトの着用によって通常は阻止されるが、着座者の尻部がシートクッションに沈み込みながら前方に移動する尻滑り現象、いわゆるサブマリン現象に対しては、シートベルトが有効的に機能しないおそれのあることも指摘されている。
【０００４】
そこで、シートベルト着用の着座者の緊急時における尻部の前方移動（サブマリン現象）を抑制する構成、いわゆるサブマリン対策として、抑制部材をシートパッドの下方でシートクッションの前後方向のほぼ中央において左右のサイドフレーム間に差し渡した構成が知られている。通常、抑制部材は、座り心地に影響しない位置(低い位置)に置かれ、緊急時には上昇してシートパッドを押し上げ、着座者の尻部の前方で盛り上げてサブマリン現象を抑制している。
【０００５】
たとえば、特開２００２−０４６５１３号公報では、シートクッションの左右のサイドフレーム間に可倒部付のクロス部材を差し渡し、通常時にはクロス部材は着座者からの押力のもとで可倒部が倒伏し、緊急時に着座者の尻部が前方に移動しようとすると、可倒部が立ち上り、突っ張ってシートパッドを押し上げてサブマリン現象を抑制している。
【０００６】
また、特開２００４−２３７８２０号公報では、抑制部材として弾性の帯状片がシートパッドの下面でシートクッションの左右のサイドフレーム間に差し渡され、サイドフレームに沿って垂下する帯状片の端末にインフレーター付の牽引装置が接続されている。そして、緊急時にはインフレーターの作動のもとで牽引装置が帯状片の端を左右両方向から牽引し、帯状片を左右のサイドフレーム間で緊張させてシートパッドの下面を押し上げながら帯状片を持ち上げ、着座者の尻部の前方でシートパッドを盛り上げてサブマリン現象を抑制している。
【先行技術文献】
【特許文献】
【０００７】
【特許文献１】特開２００２−０４６５１３号公報
【特許文献２】特開２００４−２３７８２０号公報
【発明の概要】
【発明が解決しようとする課題】
【０００８】
特開２００２−０４６５１３号公報では、クロス部材が鋼板などの硬質部材から成形されているため、クロス部材をシートパッドの上面に近づけて設ければ、緊急時にシートパッドを十分に押し上げて、サブマリン現象を抑制できるが、通常時にはシートパッドを介してクロス部材の存在が認識され、違和感を覚えて座り心地を低下させる。逆に、通常時における座り心地を重視してクロス部材をシートパッドの上面から離して設けると、緊急時においてシートパッドを十分に押し上げられず、サブマリン現象を抑制できないおそれがある。
【０００９】
これに対して、特開２００４−２３７８２０号公報では、弾性の帯状片、たとえば、エラストマーシートを抑制部材としているため、通常時においてもシートパッドを介した帯状片の存在が認識され難く、特に、シートパッドの下面に帯状片を配置してシートパッドの上面から十分に離しているため、良好な座り心地が確保される。そして、緊急時には牽引装置によって帯状片を牽引し緊張させて、シートパッドの下面を押し上げながら帯状片を迅速に持ち上げることによってサブマリン現象を十分に抑制できる。
【００１０】
ところで、車両用シートとして、シートクッション、車床側支持部材間に連結された左右一対のフロント、リヤのリンク（ハイトリンク）を備え、シートクッションを昇降可能としたシートリフタ(リフト機構)を備えたものが知られている。
【００１１】
抑制部材として弾性の帯状片をシートクッションのサイドフレーム間に差し渡して車床側支持部材上の牽引装置で帯状片を牽引し緊張させる構成において、シートクッションを昇降させると、構成の複雑化が避けられない。
すなわち、車床側支持部材に牽引装置が取り付けられた車両用シートにおいて、通常時にシートリフタによりシートクッションを昇降させると、シートクッション、車床側支持部材間の距離、具体的には、サイドフレーム頂部と牽引装置との距離が変化してその間の帯状片の長さ（シートクッションのサイドフレームに沿って垂下する帯状片の長さ）が変わる。
【００１２】
そのため、シートクッションの昇降位置に関わらず、緊急時に帯状片を直ちに牽引し、緊張させるためにはシートクッションの昇降に対応して帯状片を延出し(上昇時)、または引いて(下降時)、帯状片の長さを調整する必要がある。そして、シートクッションの昇降に対応して帯状片の長さを正確に調整できないと、通常時においては帯状片が牽引、緊張されてシートパッドを押し上げて座り心地を低下させ、緊急時においては帯状片の牽引、緊張のタイミングが遅れてサブマリン現象を抑制できないおそれがある。
【００１３】
シートクッションの昇降に対応して帯状片の長さを調整することが容易でないため、帯状片を牽引、緊張させてサブマリン現象を抑制する構成は、シートリフタがない車両用シート、またはシートリフタを備えた車両シートにおいてはそのシートクッション（サイドフレーム）にしか取付けることができず、応用範囲が限定されている。
【００１４】
本発明は、シートクッションが昇降しても、帯状片を牽引、緊張させてサブマリン現象を抑制できる構成の簡単な車両用シートの提供を目的としている。
【課題を解決するための手段】
【００１５】
上記目的を達成するために本発明では、シートクッションのサイドフレームに方向転換部材を設けるとともに、サイドフレーム、車床側支持部材を連結するリンクの支軸（第１、第２の支軸）を第１、第２の中継点とし、帯状片の端が順に方向転換部材、第１、第２の中継点を介して延ばされている。
すなわち、請求項１に係る本発明によれば、シートリフタを備えることによって車床側支持部材に対して昇降可能に配されたシートクッションを有し、前記シートクッションは、シートパッドと、前記シートパッドを左右から支持する一対のサイドフレームとを有し、シートパッドの下面で左右のサイドフレーム間に帯状片が差し渡され、前記帯状片は一端が前記サイドフレームの一方に固定され、他端が他方のサイドフレームに設けられた方向転換部材を経由して牽引装置に接続され、緊急時には牽引装置が前記帯状片を牽引し、サイドフレーム間で緊張させることによって前記シートパッドを下方から押し上げる車両用シートであって、前記シートリフタは前記サイドフレームに設けられた第１の支軸と、車床側支持部材に設けられた第２の支軸とを連結するリンクの揺動によって車床側支持部材に対してシートクッションを昇降可能にし、前記方向転換部材から延ばされた帯状片の他端は、前記第１、第２の支軸を第１、第２の中継点としてその周りで折り返されて前記牽引装置に接続されている。
【発明の効果】
【００１６】
請求項１に係る本発明では、シートクッションが昇降してシートクッションの位置が変化しても、シートクッションのサイドフレームにいずれも設けられた方向転換部材、第１の中継点（第１の支軸）の距離は変化せず、第１、第２の中継点（第２の支軸）はリンクの支軸であるから、その距離も変化しない。そのため、シートクッションが昇降しても、方向転換部材から第１、第２の中継点を経由して延ばされた帯状片の他端の長さは変化せず、シートクッションの昇降に対応して帯状片の長さを調整する必要がない。したがって、シートクッションの高さと無関係に同じタイミングで帯状片を牽引、緊張でき、方向転換部材からリンクの第１、第２の中継点を経由させるという簡単な構成でサブマリン現象を抑制できる。
【図面の簡単な説明】
【００１７】
【図１】（Ａ１）はシートクッションの下降位置、（Ｂ）はシートクッションの上昇位置における本発明の一実施例に係る車両用シートの一部破断の概略側面図、（Ａ２）（Ａ３）は通常時、緊急時におけるシートクッションの概略断面図をそれぞれ示し、帯状片の位置の相違を模式的に示す。
【図２】（Ａ）（Ｂ）はシートクッションの下降位置、上昇位置における車両用シートの一部破断の概略側面図をそれぞれ示す。
【図３】牽引装置としてのバックルプリテンショナーを有する車両用シートの側面図を示す。
【図４】別実施例に係る車両用シートの図２（Ａ）に対応する一部破断の概略側面図を示す。
【発明を実施するための形態】
【００１８】
シートクッションは、シートパッドと、シートパッドを左右から支持する一対のサイドフレームとを有し、シートパッドの下面で左右のサイドフレーム間に帯状片が差し渡されている。帯状片は一端がサイドフレームの一方に固定され、他端が他方のサイドフレームに設けられた方向転換部材を経由して牽引装置に接続され、緊急時には牽引装置が帯状片を牽引し、サイドフレーム間で緊張させることによってシートパッドを下方から押し上げる。
シートリフタはサイドフレームに設けられた第１の支軸と、車床側支持部材に設けられた第２の支軸とを連結するリンクの揺動によって車床側支持部材に対してシートクッションを昇降可能にし、方向転換部材から延ばされた帯状片の他端は、第１、第２の支軸を第１、第２の中継点としてその周りで折り返されて牽引装置に接続される。
【実施例】
【００１９】
以下、図面を参照しながら本発明の実施例を詳細に説明する。
図１（Ａ１）はシートクッションの下降位置、（Ｂ）はシートクッションの上昇位置における本発明の一実施例に係る車両用シートの一部破断の概略側面図、（Ａ２）（Ａ３）は通常時、緊急時におけるシートクッションの概略断面図をそれぞれ示し、帯状片の位置の相違を模式的に示す。
なお、前後左右はドライバーシートに着座したドライバーから見た方向をいい、Ｆｒ、Ｒｒ、Ｌ、Ｒで示す。
【００２０】
図１（Ａ１）（Ｂ）に示すように、車両用シート１０は、シートバック１２、シートクッション１４を備え、シートベルト１６がシートに装着されている。シートクッション１４は、左右一対のサイドフレーム１４−１をその一部とするクッションフレームに発泡ウレタン等の発泡材からなるシートパッド１４−２を被せ、シートパッドをトリムカバー１４−３で被覆して構成され、シートバック１２も同様の構成となっている。
【００２１】
シートベルト１６は、たとえば三点保持式（三点式シートベルト）とされる。三点式シートベルト１６は、上半部のウェビング（ショルダーウェビング）１６−１と下半部のウェビング（ラップウェビング）１６−２とを有し、上半部のウェビングが着座者の肩口から袈裟状に着座者に掛け渡されるとともに、下半部のウェビングが着座者の腰部に掛け渡されて、着座者を車両用シート１０に保持し固定している。
【００２２】
図１（Ａ２）に示すように、シートパッド１４−２は、たとえば断面が略Ｕ字形状となるように着座者の着座する中央部に比べて側部が高く形成されている。そして、帯状片１８が、シートクッション１４の略中央部で左右一対のサイドフレーム１４−１間に差し渡されて、シートパッド１４−２の下方に設けられている。たとえば、帯状片１８は、シートベルトのベルト（ウェビング）のような引張り強さに優れたポリエステル繊維を編んだベルト（ウェビング）から形成される。
【００２３】
図２（Ａ）（Ｂ）に示すように、車両用シート１０は、フロント、リヤのリンク（フロントリンク、リヤリンク）２０Ｆ、２０Ｒを有してシートクッション１４、車床側支持部材（たとえば、シートライザ）２２間に設けられたシートリフタ(リフト機構)２４を備えている。シートリフタ２４のフロントリンク、リヤリンク２０Ｆ、２０Ｒはサイドフレーム１４−１、車床側支持部材２２に支軸（２０Ｆ−１、２０Ｆ−２、２０Ｒ−１、２０Ｒ−２）によって揺動可能に連結され、フロントリンク、リヤリンクを揺動させることにより、シートクッション１４が昇降される。
シートリフタ(リフト機構)２４は、公知であり、本件発明の要旨でもないため、その詳細な説明は省略する。
【００２４】
帯状片１８は、右のサイドフレーム１４−１の頂部に一端１８ａが固定され、他端（自由端）１８ｂは左のサイドフレームの頂部を越えて垂下し、牽引装置に接続されて牽引、緊張されるように構成されている。実施例では、帯状片１８の牽引される端（自由端）１８ｂは、左のサイドフレーム１４−１の頂部を越えて垂下しているが、頂部に上の開口した切欠きや、頂部の直下に窓(開口のない切欠き)を形成し、切欠き、窓から帯状片を垂下させてもよい。
【００２５】
通常時においては、シートクッションが下降位置(図１(Ａ１))、上昇位置(図１（Ｂ）)のいずれにおいても、図１（Ａ２）に示すように、帯状片１８は、シートパッド１４−２の下方に位置している。そして、衝突等の緊急時においては、図１（Ａ３）に示すように、帯状片１８の端（自由端）１８ｂが牽引され、左右のサイドフレーム１４−１間で緊張してシートパッド１４−２を矢印方向に押し上げ、着座者の尻部の前方で盛り上げて障壁を設けることによって着座者のサブマリン現象が抑制される。
【００２６】
図２（Ａ）（Ｂ）はシートクッションの下降位置、上昇位置における車両用シートの一部破断の概略側面図をそれぞれ示し、図３は牽引装置としてのバックルプリテンショナーを有する車両用シートの側面図を示す。
図２（Ａ）（Ｂ）に示すように、方向転換部材１４−１ａが、サイドフレーム１４−１の頂部を越えて垂下する帯状片１８の直下で左のサイドフレームに設けられている。たとえば、サイドフレーム１４−１に設けられたピンが方向転換部材１４−１ａとされる。そして、図３に示すように、シートベルトバックル(バックル)３４が方向転換部材１４−１ａの後方で車床側支持部材２２に設けられている。
なお、方向転換部材としてピン１４−１ａを左のサイドフレーム１４−１に設けた構造を示しているが、これに限定されることなく、たとえばサイドフレームに形成された切欠きや溝を利用してもよい。
【００２７】
左のサイドフレーム１４−１の頂部から垂下した帯状片１８の自由端(牽引される他端)１８ｂは、その直下でサイドフレームに設けられた方向転換部材(ピン)１４−１ａを前から前周面に沿って下に巻かれて上下方向から前後方向に方向を変え、サイドフレームに沿って後方に延ばされる。
方向転換部材１４−１ａを経由した帯状片１８の自由端１８ｂは、サイドフレーム１４−１上のリヤリンクの支軸２０Ｒ−１を第１の支軸とし、これを第１の中継点として上から後周面に沿って下に巻かれることにより第１の中継点の周りで折り返されて、サイドフレームの前方に延ばされる。
【００２８】
第１の中継点（サイドフレーム上の（シートクッション側の）リヤリンクの支軸２０Ｒ−１、第１の支軸）を介して延ばされた帯状片１８の自由端１８ｂは、車床側支持部材２２上のリヤリンクの支軸２０Ｒ−２を第２の支軸とし、これを第２の中継点として下から下周面に沿って上に巻かれることにより第２の中継点の周りで折り返されて延ばされる。
【００２９】
第２の中継点２０Ｒ−２（車床側支持部材２２上のリヤリンク２０Ｒの支軸、第２の支軸）を介して延ばされた帯状片１８の自由端１８ｂは牽引装置３０へ延ばされて衝突時等の緊急時に牽引される。帯状片１８の牽引装置としてシートベルトのバックルプリテンショナーを例示できる。
【００３０】
帯状片１８の自由端１８ｂの牽引装置としてのバックルプリテンショナー(プリテンショナー)３０は周知のものであり、衝突時等の緊急時においてインフレーター３６を作動させてシートベルトバックル(バックル)３４を牽引するように構成され、実施例では、プリテンショナーを車床側支持部材２２に取付ける取付け軸３１がリヤリンクの支軸２０Ｒ−２と同軸となっている。
図３に示すように、プリテンショナー３０は、シリンダ３２と、シリンダに連通され、衝突時等の緊急時に高圧ガスを発生させてシリンダに供給するインフレーター３６と、シリンダ内に配設された摺動可能なピストン（図示しない）とを備えて、車床側支持部材２２に配置されている。バックル３４はワイヤ３８によってプリテンショナー３０に連結されており、ワイヤはその一端がプリテンショナーに固定され、他端がバックルに設けられたピン３４ａを巻装してプリテンショナーに戻されてピストンの端(図３においてピストンの右端)に連結されている。そして、バックルの支軸３４ａを巻装してプリテンショナー３０に戻されるワイヤの一部(ワイヤの復路部)３８ａに帯状片１８（帯状片の自由端１８ｂ）が連結されている。たとえば、帯状片１８は、バックル３４の直下でワイヤの復路部３８ａに接続されている。
【００３１】
衝突時等の緊急時においては、インフレ―タ３６が瞬時に作動して高圧ガスを発生し、高圧ガスによってピストンがシリンダ内に引き込まれ、ピストンに連結したワイヤの復路部３８ａが図３に示す矢印方向に牽引されることによって、バックル３４、帯状片１８の自由端１８ｂが同時に牽引される。
なお、図３では方向転換部材１４−１ａ、第１の中継点２０Ｒ−１間に延びる帯状片１８と、第２の中継点２０Ｒ−２、ワイヤの復路部３８ａ間に延びる帯状片とが交差しているように図示されているが、実際には交差せずに浮いて配置されているため、牽引装置３０により帯状片の自由端１８ｂが牽引されても互いに擦ることはない。
【００３２】
バックル３４が牽引されると、バックルに連結されたショルダーウェビング１６−１、ラップウェビング１６−２が牽引されて着座者を車両シート上に拘束する。また、バックル３４と同時に帯状片１８（帯状片の自由端１８ｂ）が牽引されると、帯状片が左右のサイドフレーム１４−１間で緊張してシートパッド１４−２を押し上げ(図１（Ａ３）参照)、着座者の尻部の前方で盛り上げて障壁を設けるため、緊急時における尻部の前方移動（サブマリン現象）が抑制される。
【００３３】
図２（Ａ）（Ｂ）に示すように、シートクッション１４が昇降してシートクッションの位置が変わっても、方向転換部材１４−１ａ、第１の中継点（リヤリンクの支軸２０Ｒ−１、第１の支軸）はシートクッションのサイドフレーム１４−１にいずれも設けられているから、方向転換部材、第１の中継点間の距離ａは変化しない。
また、第１、第２の中継点は、リヤリンクの支軸２０Ｒ−１、２０Ｒ−２（第１、第２の支軸）であり、同一部材上の２点であるから、シートクッション１４を昇降させるために第２の中継点を中心としてリヤリンクが揺動しても、第１、第２の中継点間の距離ｂも変化しない。
【００３４】
方向転換部材１４−１ａがサイドフレーム１４−１に設けられ、プリテンショナー３０、第２の中継点２０Ｒ−２が車床側支持部材２２に設けられているから、いうまでもなく、シートクッション１４が昇降しても、サイドフレーム頂部から方向転換部材１４−１ａまでの距離、第２の中継点２０Ｒ−２から牽引装置（プリテンショナー）３０までの距離が変化することはない。
【００３５】
このようにシートクッション１４が昇降してシートクッションの位置が変化しても、サイドフレーム１４−１頂部と牽引装置３０との間の帯状片１８の長さ（シートクッションのサイドフレームに沿って垂下する帯状片の長さ）が変わることはなく、緊急時に帯状片を直ちに牽引し、緊張させることができ、シートクッションの昇降に対応して帯状片の長さを調整する必要はない。そのため、帯状片を牽引、緊張させてサブマリン現象を抑制する構成がシートリフタ付の車両用シートにも応用でき、その応用範囲が拡大される。
そして、サイドフレーム１４−１上に方向転換部材１４−１ａを設けるとともに、リヤリンクの２つの支軸である第１、第２の支軸を第１、第２の中継点２０Ｒ−１、２０Ｒ−２とし、帯状片１８の自由端１８ｂを方向転換部材１４−１ａ、第１、第２の中継点２０Ｒ−１、２０Ｒ−２を経由して牽引装置３０へ延ばすという簡単な構成でサブマリン現象を抑制できる。
【００３６】
そして、通常時にシートリフタ２４によりシートクッション１４を上昇させてシートクッション、車床側支持部材２２間の距離が変化しても、帯状片１８の長さが変化せず、帯状片が左右のサイドフレーム間で牽引、緊張されない。そのため、通常時にシートクッション１４を上昇させても、帯状片１８はシートパッド１４−２の下方位置（初期位置）に留まってシートパッドを押し上げることがなく、良好な座り心地が確保される。
また、シートクッション１４を下降させても、シートクッション、車床側支持部材２２間の距離が変化して帯状片１８が弛むことはなく、牽引装置３０の作動のもとでの帯状片の牽引、緊張のタイミングが遅れるおそれはない。
【００３７】
プリテンショナー３０を帯状片１８の自由端１８ｂの牽引装置としているため、帯状片の牽引装置を別途設ける必要がなく、構成が簡単化できる。そして、緊急時にバックル３４の牽引と同時に帯状片を牽引し、緊張させてサブマリン現象を抑制できる。
なお、実施例では、帯状片１８の自由端１８ｂをプリテンショナー３０のワイヤの復路部３８ａに接続しているが、プリテンショナー３０によってバックル３４と同時に帯状片を牽引される構成であれば足りる。たとえば、ワイヤの復路部３８ａでなく、シリンダ内を摺動するピストンに帯状片１８の自由端１８ｂを接続させて、帯状片がバックル３４と同時に牽引される構成としてもよい。たとえば、車床側支持部材上の適切な位置にピンを設けてこのピンを中継点として帯状片を延ばせば、帯状片をピストンに容易に接続できる。
【００３８】
図４は別実施例に係る車両用シートの図２（Ａ）に対応する一部破断の概略側面図を示す。
上記実施例（実施例１）の構成部材と同じ機能を有する別実施例（実施例２）の対応する構成部材には同じ参照番号を付してその説明を省略し、実施例１と異なる構成を主として説明する。
【００３９】
図４に示す別実施例（実施例２）では、フロントリンク２０Ｆの支軸２０Ｆ−１、２０Ｆ−２を第１、２の支軸、つまり第１、第２の中継点としている点で上記実施例１と相違している。
【００４０】
リヤリンクの支軸２０Ｒ−１、２０Ｒ−２と同様に、フロントリンクの支軸２０Ｆ−１はシートクッションのサイドフレーム１４−１に、支軸２０Ｆ−２は車床側支持部材２２にそれぞれ設けられている。
左右一対のサイドフレーム１４−１間に差し渡された帯状片１８の自由端１８ｂは、サイドフレーム頂部から方向転換部材１４−１ａの上から後周面に沿って前に巻かれ、そして、サイドフレーム上のフロントリンクの支軸２０Ｆ−１を第１の支軸とし、これを第１の中継点として後ろから上周面に沿って前に巻かれることにより第１の中継点の周りで折り返されて、第１の中継点を介してサイドフレームの前方へと延ばされている。
【００４１】
第１の中継点２０Ｆ−１（第１の支軸）を介して前に延ばされた帯状片１８の自由端１８ｂは、さらに、車床側支持部材２２上のフロントリンクの支軸２０Ｆ−２を第２の支軸とし、これを第２の中継点として上から前周面を下に巻かれることにより第２の中継点の周りで折り返されて、第２の中継点を介して後方に延ばされる。
第２の中継点（フロントリンクの支軸２０Ｆ−２、第２の支軸）から牽引装置（プリテンショナー）３０のワイヤの復路部３８ａ(図３参照)まで、帯状片１８（帯状片の自由端１８ｂ）を直接延ばすことは難しい。そのため、リヤリンクの支軸２０Ｒ−２の前方で車床側支持部材２２にピン２２ａを設けて中継点とし、この中継点を介して帯状片１８が上に延ばされてワイヤの復路部３８ａに接続される。
【００４２】
この実施例２において、シートクッション１４が昇降してシートクッションの位置が変化しても、方向転換部材１４−１ａ、第１の中継点（フロントリンクの支軸２０Ｆ−１、第１の支軸）はシートクッションのサイドフレーム１４−１にいずれも設けられているから、方向転換部材、第１の中継点間の距離ａ’は変化しない。
また、第１、第２の中継点は、フロントリンクの支軸２０Ｆ−１，２０Ｆ−２（第１、第２の支軸）であり、同一部材上の２点であるから、第２の中継点を中心としてフロントリンクが揺動しても第１、第２の中継点間の距離ｂ’は変化しない。さらに、便宜上設けた第３の中継点（ピン２２ａ）は第２の中継点（フロントリンクの支軸２０Ｆ−２、第２の支軸）と同様に車床側支持部材２２に設けられているため、第２、第３の中継点間の距離ｃは変化しない。
いうまでもなく、シートクッション１４が昇降しても、サイドフレーム頂部から方向転換部材１４−１ａまでの距離、第３の中継点（ピン２２ａ）から牽引装置（プリテンショナー）３０までの距離は変化しない。
そのため、シートクッション１４が昇降しても、サイドフレーム１４−１頂部と牽引装置３０の間の帯状片１８の長さ（シートクッションのサイドフレームに沿って垂下する帯状片の長さ）が変わることはなく、緊急時に帯状片を直ちに牽引し、緊張させるためにシートクッションの昇降に対応して帯状片の長さを調整する必要はない。
【００４３】
そして、サイドフレーム１４−１に方向転換部材１４−１ａを、車床側支持部材２２に第３の中継点（ピン２２ａ）をそれぞれ設けるとともに、フロントリンクの２つの支軸２０Ｆ−１、２０Ｆ−２（第１、第２の支軸）を第１、第２の中継点とし、帯状片１８の自由端１８ｂを方向転換部材１４−１ａ、第１、第２、第３の中継点を経由し、牽引装置３０へ延ばすという簡単な構成でサブマリン現象を抑制できる。
【００４４】
上記のように本発明によれば、シートクッションが昇降してシートクッションの位置が変化しても、シートクッションのサイドフレームにいずれも設けられた方向転換部材、第１の中継点の距離は変化せず、第１、第２の中継点はリンクの支軸であるから、その距離も変化しない。そのため、シートクッションが昇降しても、方向転換部材から第１、第２の中継点を経由して延ばされた帯状片の長さは変化せず、シートクッションの昇降に対応して帯状片の長さを調整する必要がなく、シートクッションの高さと無関係に同じタイミングで帯状片を牽引、緊張できる。したがって、方向転換部材からリンク上の第１、第２の中継点を経由させるという簡単な構成でサブマリン現象を抑制できる。
【００４５】
なお、上記の実施例１ではリヤリンクの支軸２０Ｒ−１，２０Ｒ−２を第１、第２の中継点（第１、第２の支軸）とし、実施例２ではフロントリンクの支軸２０Ｆ−１，２０Ｆ−２を第１、第２の中継点としている。しかしながら、シートクッションのサイドフレーム、車床側支持部材間を連結するリヤリンク、フロントリンクとは別のリンクをサイドフレーム、車床側支持部材間に支軸によって揺動可能に設けてシートクッション側の支軸を第１の中継点、車床側支持部材側の支軸を第２の中継点としてもよい。しかしながら、支軸を第１、第２の中継点とするリンクをリヤリンク２０Ｒ、フロントリンク２０Ｆと重複して設けることなく、リヤリンク、または、フロントリンクの支軸を第１、第２の中継点とすれば構成が簡単化でき、好ましい。
【００４６】
上述した実施例は、この発明を説明するためのものであり、この発明を何等限定するものでなく、この発明の技術範囲内で変形、改造等の施されたものも全てこの発明に包含されることはいうまでもない。
【００４７】
たとえば、帯状片の牽引装置としてバックルプリテンショナーが例示されているがこれに限定されず、緊急時に帯状片を牽引するものであればよい。
【産業上の利用可能性】
【００４８】
本発明は、バス、乗用車などの車両用シートに限定されず、シートクッション、車床側支持部材間にシートリフタを備え、緊急時に帯状片を牽引、緊張してサブマリン現象を抑制する電車、飛行機等のシートにも応用できる。
【符号の説明】
【００４９】
１０        車両用シート
１４        シートクッション
１４−１    サイドフレーム
１４−２    シートパッド
１６        シートベルト
１８        帯状片
２０Ｆ、２０Ｒ    フロントリンク、リヤリンク
２０Ｆ−１、２０Ｆ−２、２０Ｒ−１、２０Ｒ−２    第１、第２の中継点（支軸）
２２        車床側支持部材（シートライザ）
２２ａ      ピン（第３の中継点）
２４        シートリフタ(リフト機構)
３０        牽引装置（バックルプリテンショナー(プリテンショナー)）
【図１】
2014227032.tif 000003
【図２】
2014227032.tif 000004
【図３】
2014227032.tif 000005
【図４】
2014227032.tif 000006